(57)【要約】  表示制御方法は、第１の表示レイヤがタッチスクリーンに表示されている間に行われた当該タッチスクリーンに対する第１の接触に関する情報を取得するステップ（Ｓ１２）と、第１の接触に関する情報が、第１の方向への接触位置の移動を含む場合に、第１の表示レイヤから第２の表示レイヤに移行させるステップ（Ｓ１４）と、第１の接触に関する情報が、第１の方向と垂直な第２の方向への接触位置の移動を含む場合に、第１の表示レイヤが有する表示オブジェクトの表示位置を第２の方向へ移動させるステップ（Ｓ１６）と、を含む。
2020084834.tif 000002
【特許請求の範囲】
【請求項１】
コンピュータによって実行される表示制御方法であって、
第１のカテゴリに属する表示オブジェクトを有する第１の表示レイヤがタッチスクリーンに表示されている間に行われた当該タッチスクリーンに対する第１の接触に関する情報を取得するステップと、
前記第１の接触に関する情報が、第１の方向への接触位置の移動を含む場合に、前記第１の表示レイヤから、前記第１のカテゴリと異なる第２のカテゴリに属する表示オブジェクトを有する第２の表示レイヤに移行させるステップと、
前記第１の接触に関する情報が、前記第１の方向と垂直な第２の方向への接触位置の移動を含む場合に、前記第１の表示レイヤが有する前記表示オブジェクトの表示位置を前記第２の方向へ移動させるステップと、を含む、
表示制御方法。
【請求項２】
前記コンピュータは、建物に設置された複数の機器に直接的または間接的に通信可能に接続され、
前記第１のカテゴリは、前記複数の機器の各々の状態を通知するためのユーザーインターフェースであり、
前記第２のカテゴリは、前記複数の機器の各々の状態を制御するためのユーザーインターフェースである、
請求項１に記載の表示制御方法。
【請求項３】
前記第２の表示レイヤは、前記第２のカテゴリに属する複数の前記表示オブジェクトを有し、
前記複数の表示オブジェクトは、前記複数の機器の設置位置に基づく順序で配置される、
請求項２に記載の表示制御方法。
【請求項４】
前記第１の接触に関する情報が、前記第１の方向と１８０度異なる第３の方向への接触位置の移動を含む場合に、前記第１の表示レイヤから、前記第１のカテゴリ、及び前記第２のカテゴリと異なる第３のカテゴリに属する表示オブジェクトを有する第３の表示レイヤに移行するステップと、を含む、
請求項１に記載の表示制御方法。
【請求項５】
前記コンピュータは、建物に設置された複数の機器に直接的または間接的に通信可能に接続され、
前記第１のカテゴリ、前記第２のカテゴリ、及び前記第３のカテゴリは、それぞれが、
（ｉ）前記複数の機器の各々の状態を通知するためのユーザーインターフェース、
（ｉｉ）前記複数の機器の各々の状態を制御するためのユーザーインターフェース、
（ｉｉｉ）前記複数の機器の各々に関連するコンテンツを提供するためのユーザーインターフェース、のいずれかである、
請求項４に記載の表示制御方法。
【請求項６】
請求項１〜５のいずれか１項に記載の表示制御方法をコンピュータに実行させるためのプログラム。
【請求項７】
第１のカテゴリに属する表示オブジェクトを有する第１の表示レイヤがタッチスクリーンに表示されている間に行われた当該タッチスクリーンに対する第１の接触に関する情報を取得する取得部と、
前記第１の接触に関する情報が、第１の方向への接触位置の移動を含む場合に、前記第１の表示レイヤから、前記第１のカテゴリと異なる第２のカテゴリに属する表示オブジェクトを有する第２の表示レイヤに移行させる制御部とを備え、
前記制御部は、前記第１の接触に関する情報が、前記第１の方向と垂直な第２の方向への接触位置の移動を含む場合に、前記第１の表示レイヤが有する前記表示オブジェクトの表示位置を前記第２の方向へ移動させる、
表示制御システム。
【発明の詳細な説明】
【技術分野】
【０００１】
本発明は、住設機器、家電機器などの住宅ＩｏＴ（Ｉｎｔｅｒｎｅｔ  ｏｆ  Ｔｈｉｎｇｓ）機器の状態を表示するための表示制御方法、及び、表示制御システムに関する。
【背景技術】
【０００２】
近年、住宅内に設置された２４時間換気システム、エコキュート（登録商標）・ガス給湯器、インターホン・電気錠、電動シャッター、床暖房などの住設機器、エアコン、空気清浄機、照明器具、テレビ、ＤＶＤレコーダーなどの家電機器を、一括、協調して制御する住宅ＩｏＴ（Ｉｎｔｅｒｎｅｔ  ｏｆ  Ｔｈｉｎｇｓ）システムが注目を浴びている。【０００３】
当該住宅ＩｏＴシステムでは、各機器を制御するためのプロトコルとして、例えば、Ｅｃｈｏｎｅｔ  Ｌｉｔｅ（登録商標）、または、ＫＮＸ（登録商標）などを通じて、情報端末であるアンビエントパネルに各機器の状態を表示し、同パネルでユーザが所望の設定をすることで、各機器が単独のみならず、協調して制御できるようになっている。
【発明の概要】
【発明が解決しようとする課題】
【０００４】
本発明は、ユーザが容易に表示レイヤを切り替えることができる表示制御方法、及び、表示制御システムを提供する。
【課題を解決するための手段】
【０００５】
本発明の一態様に係る表示制御方法は、コンピュータによって実行される表示制御方法であって、第１のカテゴリに属する表示オブジェクトを有する第１の表示レイヤがタッチスクリーンに表示されている間に行われた当該タッチスクリーンに対する第１の接触に関する情報を取得するステップと、前記第１の接触に関する情報が、第１の方向への接触位置の移動を含む場合に、前記第１の表示レイヤから、前記第１のカテゴリと異なる第２のカテゴリに属する表示オブジェクトを有する第２の表示レイヤに移行させるステップと、前記第１の接触に関する情報が、前記第１の方向と垂直な第２の方向への接触位置の移動を含む場合に、前記第１の表示レイヤが有する前記表示オブジェクトの表示位置を前記第２の方向へ移動させるステップと、を含む。【０００６】
本発明の一態様に係るプログラムは、前記表示制御方法をコンピュータに実行させるためのプログラムである。【０００７】
本発明の一態様に係る表示制御システムは、第１のカテゴリに属する表示オブジェクトを有する第１の表示レイヤがタッチスクリーンに表示されている間に行われた当該タッチスクリーンに対する第１の接触に関する情報を取得する取得部と、前記第１の接触に関する情報が、第１の方向への接触位置の移動を含む場合に、前記第１の表示レイヤから、前記第１のカテゴリと異なる第２のカテゴリに属する表示オブジェクトを有する第２の表示レイヤに移行させる制御部とを備え、前記制御部は、前記第１の接触に関する情報が、前記第１の方向と垂直な第２の方向への接触位置の移動を含む場合に、前記第１の表示レイヤが有する前記表示オブジェクトの表示位置を前記第２の方向へ移動させる。
【発明の効果】
【０００８】
本発明の表示制御方法及び表示制御システムによれば、ユーザは容易に表示レイヤを切り替えることができる。
【図面の簡単な説明】
【０００９】
【図１】図１は、実施の形態に係る表示装置の正面図である。
【図２】図２は、実施の形態に係る表示装置の斜視図である。
【図３】図３は、玄関に設置された表示装置の表示画面の一例を示す図である。
【図４】図４は、ダイニングに設置された表示装置の表示画面の一例を示す図である。
【図５】図５は、寝室に設置された表示装置の表示画面の一例を示す図である。
【図６】図６は、ユーザが直感的に全館空調の制御を行うための表示画面の一例を示す図である。
【図７】図７は、通知が行われているときの表示画面の一例を示す図である。
【図８】図８は、通知される内容の第一の例を示す図である。
【図９】図９は、通知される内容の第二の例を示す図である。
【図１０】図１０は、通知される内容の第三の例を示す図である。
【図１１】図１１は、通知される内容の第四の例を示す図である。
【図１２】図１２は、起床時のシーン制御を行うための表示画面の一例を示す図である。
【図１３】図１３は、帰宅時のシーン制御を行うための表示画面の一例を示す図である。
【図１４】図１４は、在宅勤務時のシーン制御を行うための表示画面の一例を示す図である。
【図１５】図１５は、就寝前のシーン制御を行うための表示画面の一例を示す図である。
【図１６】図１６は、アプリケーションの選択画面の一例を示す図である。
【図１７】図１７は、各部屋の空気質を示す画面の一例を示す図である。
【図１８】図１８は、リビングの空気質の詳細画面の一例を示す図である。
【図１９】図１９は、電気使用量を示す画面の第一の例を示す図である。
【図２０】図２０は、電気使用量を示す画面の第二の例を示す図である。
【図２１】図２１は、ホームメッセンジャーのアプリケーションを実行中の画面の第一の例を示す図である。
【図２２】図２２は、ホームメッセンジャーのアプリケーションを実行中の画面の第二の例を示す図である。
【図２３】図２３は、ドアホンのアプリケーションを実行中の画面の第一の例（ドアホンが撮影している訪問者の画像の表示画面）を示す図である。
【図２４】図２４は、ドアホンのアプリケーションを実行中の画面の第二の例（ドアホン及びカメラの選択画面）を示す図である。
【図２５】図２５は、伝言のアプリケーションを実行中の画面の第一の例（手書き入力画面）を示す図である。
【図２６】図２６は、伝言のアプリケーションを実行中の画面の第二の例（複数の伝言の選択画面）を示す図である。
【図２７】図２７は、動画のアプリケーションを実行中の画面の第一の例を示す図である。
【図２８】図２８は、動画のアプリケーションを実行中の画面の第二の例を示す図である。
【図２９】図２９は、動画のアプリケーションを実行中の画面の第三の例を示す図である。
【図３０】図３０は、音楽のアプリケーションを実行中の画面の第一の例を示す図である。
【図３１】図３１は、音楽のアプリケーションを実行中の画面の第二の例を示す図である。
【図３２】図３２は、音楽のアプリケーションを実行中の画面の第三の例を示す図である。
【図３３】図３３は、写真のアプリケーションを実行中の画面の第一の例を示す図である。
【図３４】図３４は、写真のアプリケーションを実行中の画面の第二の例を示す図である。
【図３５】図３５は、写真のアプリケーションを実行中の画面の第三の例を示す図である。
【図３６】図３６は、空調機器のリモートコントローラへの操作をトリガとして情報を提示する例を説明するための図である。
【図３７】図３７は、照明機器を点灯及び消灯するための壁スイッチへの操作をトリガとして情報を提示する例を説明するための図である。
【図３８】図３８は、給湯器への操作をトリガとして情報を提示する例を説明するための図である。
【図３９】図３９は、その他の情報の表示画面の一例を示す図である。
【図４０】図４０は、気象警報の表示画面の一例を示す図である。
【図４１】図４１は、鍵のかけ忘れを防止するための通知画面の一例を示す図である。
【図４２】図４２は、花粉除去に最適な空気清浄機の制御をリコメンドする表示画面の一例を示す図である。
【図４３】図４３は、睡眠状態の改善を提案する表示画面の一例を示す図である。
【図４４】図４４は、洗濯のタイミングの通知画面の一例を示す図である。
【図４５】図４５は、服装に関する提案を行う表示画面の一例を示す図である。
【図４６】図４６は、紫外線に関する注意喚起を行う表示画面の一例を示す図である。
【図４７】図４７は、ユーザの好みに合いそうな番組を提示する表示画面の一例を示す図である。
【図４８】図４８は、クリスマス用の演出を行うための表示画面の第一の例を示す図である。
【図４９】図４９は、クリスマス用の演出を行うための表示画面の第二の例を示す図である。
【図５０】図５０は、実施の形態に係る表示装置のホーム画面の構成を示す図である。
【図５１】図５１は、ユーザが表示装置の近くにいないときのプッシュレイヤの画面の一例を示す図である。
【図５２】図５２は、複数のアイコンを含むプッシュレイヤの画面の一例を示す図である。
【図５３】図５３は、ナイトモードにおけるプッシュレイヤの画面の一例を示す図である。
【図５４】図５４は、機器がオフ状態である場合のコントロールレイヤの画面の一例を示す図である。
【図５５】図５５は、機器のアイコンの移動及び削除画面の一例を示す図である。
【図５６】図５６は、プッシュレイヤの画面の表示態様の変更を説明するための図である。
【図５７】図５７は、アプリレイヤの画面が表示されているときに行われる通知を説明するための図である。
【図５８】図５８は、最初にコントロールレイヤの画面が表示されたときに、コントロールレイヤのチュートリアルが表示される例を説明するための図である。
【図５９】図５９は、コントロールレイヤの画面に表示される全館空調を行うためのアイコンの一例を示す図である。
【図６０】図６０は、全館空調のアイコンが操作されたときの画面遷移を示す図である。
【図６１】図６１は、自動セーブ運転時の全館空調の制御画面の一例を示す図である。
【図６２】図６２は、お出かけモードにおける全館空調の制御画面の一例を示す図である。
【図６３】図６３は、コントロールレイヤの画面に表示される空調機器を制御するためのアイコンの一例を示す図である。
【図６４】図６４は、空調機器のアイコンがロングタップ操作されたときの画面遷移を示す図である。
【図６５】図６５は、コントロールレイヤの画面に表示されるヒートポンプ式給湯器を制御するためのアイコンの一例を示す図である。
【図６６】図６６は、ヒートポンプ式給湯器のアイコンがロングタップ操作されたときの画面遷移を示す第一の図である。
【図６７】図６７は、ヒートポンプ式給湯器のアイコンがロングタップ操作されたときの画面遷移を示す第二の図である。
【図６８】図６８は、コントロールレイヤの画面に表示される、燃料電池システムが備える給湯器を制御するためのアイコンの一例を示す図である。
【図６９】図６９は、燃料電池システムのアイコンがロングタップ操作されたときの画面遷移を示す図である。
【図７０】図７０は、コントロールレイヤの画面に表示される、電動シャッターを制御するためのアイコンの一例を示す図である。
【図７１】図７１は、電動シャッターのアイコンがロングタップ操作されたときの画面遷移を示す図である。
【図７２】図７２は、コントロールレイヤの画面に表示される、電気錠を制御するためのアイコンの一例を示す図である。
【図７３】図７３は、電気錠のアイコンがロングタップ操作されたときの画面遷移を示す図である。
【図７４】図７４は、コントロールレイヤの画面に表示される、空気清浄機を制御するためのアイコンの一例を示す図である。
【図７５】図７５は、空気清浄機のアイコンがロングタップ操作されたときの画面遷移を示す図である。
【図７６】図７６は、機器がイレギュラーな状態に陥った場合の画面遷移を示す図である。
【図７７】図７７は、初期設定画面、及び、初期設定画面からの画面遷移を示す図である。
【図７８】図７８は、実施の形態に係る表示制御システムの機能構成を示すブロック図である。
【図７９】図７９は、実施の形態に係る表示制御システムの動作のフローチャートである。
【発明を実施するための形態】
【００１０】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付し、重複する説明は省略または簡略化される場合がある。
【００１２】
（実施の形態）
［表示装置の概要］
まず、実施の形態に係る表示装置の概要について説明する。図１は、実施の形態に係る表示装置の正面図である。図２は、実施の形態に係る表示装置の斜視図である。
【００１３】
表示装置２０は、人を中心に考えた新しいくらしに関するサービスを提供するシステム（例えば、後述の表示制御システム）に用いられる専用端末である。表示装置２０は、美しく統合された、新しい形の住宅設備及び家電との関わりをユーザに提供することができる。また、表示装置２０は、サーバ装置との連携で住む人に合わせた価値をユーザに提供することができる。
【００１４】
表示装置２０は、住宅などの建物の内部（例えば、壁）に設置される。また、表示装置２０は、タッチスクリーン２１を備え、ユーザが上記建物に設置された機器を制御するための統合リモートコントローラとして使用される。表示装置２０によれば、機器ごとにリモートコントローラを設置することが不要となるため、建物から複雑性を取り除くことができる。
【００１５】
また、表示装置２０が建物内の複数の空間（玄関、ダイニング、及び、ベッドルームなど）のそれぞれに設置されれば、ユーザは、暮らしの行為の確認、または、機器の設定の確認を建物の中のあらゆる場所から行うことができる。図３は、玄関に設置された表示装置２０の表示画面の一例を示す図であり、図４は、ダイニングに設置された表示装置２０の表示画面の一例を示す図であり、図５は、寝室に設置された表示装置２０の表示画面の一例を示す図である。例えば、ユーザは、寝室から玄関の鍵またはリビングの電動シャッターを閉じたり、玄関から家中の空調機器及び照明機器を消したりすることが可能となる。
【００１６】
また、表示装置２０は、大量の情報から不要なものをなくし、必要なものだけをユーザに提供する。例えば、表示装置２０の機器制御機能からは、従来のリモートコントローラまたはスイッチにありがちだった煩雑な機能が排除される。表示装置２０は、日常生活で必要な機能だけを直感的に提供する。図６は、ユーザが直感的に全館空調の制御を行う（言い換えれば、複数の空調機器を制御する）ための表示画面の一例を示す図である。
【００１７】
［表示装置の機能：通知］
また、表示装置２０は、ユーザが欲しい情報、ユーザが逃したくない通知に１タップでアクセスできるように構成されている。例えば、表示装置２０のホーム画面には、表示装置２０に対応する機器の状態またはお知らせが通知される。図７は、通知が行われているときの表示画面の一例を示す図である。図７に示されるように、例えば、ユーザは、玄関に設置された表示装置２０から帰宅後すぐに新着録画を確認したり、書斎に設置された表示装置２０からドアホンの来客を確認したりすることができる。
【００１８】
図８〜図１１は、通知される内容の一例を示す図である。図８に示されるように、表示装置２０によれば、ユーザは、帰宅後すぐに、玄関、または、好きな場所から新着録画を帰宅チェック及び視聴することができる。また、図９に示されるように、表示装置２０によれば、ユーザは、建物の中のどこからでもインターホン装置に応答したり、不在時の履歴を確認したりすることができる。また、図１０に示されるように、表示装置２０によれば、ユーザは、バスタブのお湯はり完了を、建物の中のどこからでも確認することができる。図１１に示されるように、表示装置２０によれば、ユーザは、家族の誰かが残した伝言を確認することもできる。
【００１９】
［表示装置の機能：シーン制御］
また、ユーザは、表示装置２０を通じて複数の機器を動作させることにより、建物中の環境を自在に切り替えることができる。建物の中の環境を１タップ、または、タイマーでユーザの求める状態に切り替える制御は、シーン制御とも記載される。シーン制御では、表示装置２０に対応した機器であれば、建物の中のどの空間（部屋）に設置された機器であっても一度に制御することができる。例えば、建物に設置された全ての電動シャッター、照明機器、及び、空調機器を快適な目覚めに適した状態にしたり、帰宅時に必要な機器の設定を一度に行ったりすることが可能である。
【００２０】
シーン制御の具体例について説明する。図１２は、起床時のシーン制御を行うための表示画面の一例を示す図であり、起床時のシーン制御では、例えば、アラームを鳴らす、電動シャッターを開く、及び、照明機器を点灯させる（オンする）、といった制御がタイマーで実現される。起床時のシーン制御は、ユーザに心地の良い目覚めを提供し、建物の中を朝の時間帯に適した環境にする。図１３は、帰宅時のシーン制御を行うための表示画面の一例を示す図であり、帰宅時のシーン制御では、例えば、電動シャッターを開く、照明機器を点灯させる、空調機器をオンするといった制御が１タップで実現される。つまり、帰宅時に必要なことがタップ１つで実現される。
【００２１】
なお、シーン制御は、あらかじめプリセットで複数種類用意されているが、ユーザが好みに合わせて新たに作成し、登録することができる。例えば、ユーザは、在宅勤務時のシーン制御、及び、就寝前のシーン制御などを新たに作成して登録することができる。
【００２２】
図１４は、在宅勤務時のシーン制御を行うための表示画面の一例を示す図であり、在宅勤務時のシーン制御では、例えば、照明機器を調光し、かつ、空調機器の設定温度が低めに設定されることで、ユーザの集中力及び作業効率を高めることができる、作業に適した環境が実現される。図１５は、就寝前のシーン制御を行うための表示画面の一例を示す図であり、就寝前のシーン制御を行うための表示画面の一例を示す図であり、就寝前のシーン制御では、例えば、照明機器が暗く調光され、電動シャッターが閉じられ、かつ、空調機器の設定温度が低めに設定されることで、建物の中を快適に睡眠に導入することができる環境にすることができる。ユーザは、就寝前のシーン制御を、寝室に設置された表示装置２０だけでなく、リビングまたはダイニングに設置された表示装置２０からも指示することができる。
【００２３】
［表示装置の機能：アプリケーション］
表示装置２０には、様々なアプリケーション（アプリケーションプログラム）がインストールされていてもよい。図１６は、アプリケーションの選択画面の一例を示す図である。様々なアプリケーションがインストールされていれば、ユーザは、実行するアプリケーションを選択することで、建物の中の空気の状態、及び、建物における電気使用量の状態を確認することができる。また、ユーザは、現在放送中のテレビ番組、及び、録画番組をチェックすることもできる。また、表示装置２０は、サーバ装置から新たなアプリケーションの提供を受けることもできる。
【００２４】
例えば、ユーザは、図１６の選択画面中の「空気」のアイコンを選択することで、建物の中の各部屋の空気の状態（具体的には、温度、湿度、におい、ハウスダスト、及び、ＰＭ２．５濃度などの空気質）を把握することができる。図１７は、各部屋の空気質を示す画面の一例を示す図であり、図１８は、リビングの空気質の詳細画面の一例を示す図である。図１７に示されるような画面がタッチスクリーン２１に表示されれば、ユーザは、各部屋の空気質を一目で把握することができる。また、図１８に示されるような画面がタッチスクリーン２１に表示されれば、ユーザは、特定の部屋の空気質の日ごと（あるいは月ごと）の変化を確認することができる。なお、表示装置２０は、例えば、空気質を計測するセンサからセンシング結果を示す信号を取得することにより、空気質を管理することができる。
【００２５】
また、例えば、ユーザは、図１６の選択画面中の「電気」のアイコンを選択することで、建物の中の各部屋の電気使用量を把握することができる。図１９は、電気使用量を示す画面の第一の例を示す図であり、図２０は、電気使用量を示す画面の第二の例を示す図である。なお、表示装置２０は、例えば、建物に設置された通信機能を有する分電盤などから電気使用量を示す信号を取得することにより、建物における現在または過去の電気使用量を分岐回路ごとに管理し、ユーザに画像として提供することができる。また、表示装置２０は、サーバ装置から他のユーザの電気使用量（一般的な電気使用量であってもよい）を示す情報を取得することにより、図１９に示されるように、ユーザの電気使用量と他のユーザの電気使用量とを並べて表示することができる。
【００２６】
また、例えば、ユーザは、図１６の選択画面中の「ホームメッセンジャー」のアイコンを選択することで、建物の中で他の部屋にいる家族と会話することができる。図２１は、ホームメッセンジャーのアプリケーションを実行中の画面の第一の例を示す図であり、図２２は、ホームメッセンジャーのアプリケーションを実行中の画面の第二の例を示す図である。ホームメッセンジャーのアプリケーションが実行されれば、キッチンから子供部屋に「ごはんができたよ」と伝えたり、玄関からダイニングに「ただいま」と伝えたりすることができる。つまり、部屋同士でのコミュニケーションの可能性が広がる。
【００２７】
また、例えば、ユーザは、図１６の選択画面中の「ドアホン」のアイコンを選択することで、表示装置２０が設置された部屋から表示装置２０と通信接続されたドアホン（言い換えれば、インターホン装置）に応答することができる。図２３は、ドアホンのアプリケーションを実行中の画面の第一の例（ドアホンが撮影している訪問者の画像の表示画面）を示す図である。また、表示装置２０に建物の外を撮像するカメラが通信接続されれば、ユーザは、表示装置２０を通じて建物の外の様子を視認することもできる。図２４は、ドアホンのアプリケーションを実行中の画面の第二の例（ドアホン及びカメラの選択画面）を示す図である。
【００２８】
また、例えば、ユーザは、図１６の選択画面中の「伝言」のアイコンを選択することで、表示装置２０を伝言板として使用することができる。図２５は、伝言のアプリケーションを実行中の画面の第一の例（手書き入力画面）を示す図である。図２６は、伝言のアプリケーションを実行中の画面の第二の例（複数の伝言の選択画面）を示す図である。なお、伝言は、動画像または静止画像として記憶する（つまり、録画する）こともできるし、音声として記憶する（つまり、録音する）こともできる。
【００２９】
また、例えば、ユーザは、図１６の選択画面中の「動画」のアイコンを選択することで、表示装置２０と通信接続されたチューナ装置によって受信される、現在放送中のテレビ番組、及び、表示装置２０と通信接続された動画コンテンツ記憶装置から提供される録画番組をチェックすることもできる。図２７〜図２９は、動画のアプリケーションを実行中の画面の一例を示す図である。ユーザは、帰宅してすぐに玄関に設置された表示装置２０を用いて新着録画を確認したり、寝室で着替えながら寝室に設置された表示装置２０を用いて朝のニュースをチェックしたりすることができる。つまり、暮らしの中での情報との接し方の幅が広がる。
【００３０】
また、例えば、ユーザは、図１６の選択画面中の「音楽」のアイコンを選択することで、表示装置２０と通信接続された音楽コンテンツ記憶装置から提供される音楽を楽しむこともできる。図３０〜図３２は、音楽のアプリケーションを実行中の画面の一例を示す図である。ユーザは、表示装置２０が設置されたどの部屋でも音楽を楽しむことができる。また、表示装置２０に別体のスピーカ装置が通信接続されれば、当該スピーカ装置から音楽を出力することも可能である。
【００３１】
また、例えば、ユーザは、図１６の選択画面中の「写真」のアイコンを選択することで、表示装置２０と通信接続された静止画コンテンツ記憶装置から提供される写真を楽しむこともできる。図３３〜図３５は、写真のアプリケーションを実行中の画面の一例を示す図である。ユーザは、表示装置２０が設置されたどの部屋でも写真を楽しむことができる。
【００３２】
［表示装置の機能：ユーザの操作をトリガとした情報の提示］
表示装置２０は、日常生活の中でユーザが行う「照明機器を点灯する」「空調機器の電源をオフする」「お風呂を沸かす」といった普段の行為をトリガとして、よりよいくらしに繋がる行為、または、状況に応じた最適な体験など（具体的には、コンテンツまたは機能など）を提示することができる。つまり、表示装置２０は、機器へのユーザの操作をトリガとして、ユーザへの情報の提示を行うことができる。図３６は、空調機器のリモートコントローラへの操作をトリガとして情報を提示する例を説明するための図である。
【００３３】
図３６の例では、ユーザが空調機器のリモートコントローラに対して空調機器の電源をオフする操作を行うと（図３６の（ａ））、表示装置２０は、これをトリガとして空調機器の消費電力を削減するための空調機器の使用方法に関するアドバイス（例えば、１時間程度部屋を離れるだけであれば、電源をオンにしたままのほうが消費電力が低いこと）を表示する（図３６の（ｂ））。
【００３４】
また、図３７は、照明機器を点灯及び消灯するための壁スイッチへの操作をトリガとして情報を提示する例を説明するための図である。図３７の例では、ユーザが深夜帰宅時に玄関の照明機器を点灯すると（図３７の（ａ））、表示装置２０は、これをトリガとして深夜の時間帯に適した調光設定を表示する（図３７の（ｂ））。
【００３５】
また、図３８は、給湯器への操作をトリガとして情報を提示する例を説明するための図である。図３８の例では、ユーザが、給湯器の操作パネルへバスタブへのお湯はりを指示する操作を行うと、表示装置２０は、これをトリガとしてバスタイムを豊かにする入浴グッズをリコメンドする画像を表示する。
【００３６】
このように、表示装置２０は、機器へのユーザの操作をトリガとして様々な情報を提示することができる。なお、図３６〜図３８は、情報提示の例を示すものである。表示装置２０に接続される機器、及び、各種サービスの組み合わせにより様々な情報提示が可能である。
【００３７】
［表示装置の機能：その他の情報の提示］
表示装置２０は、機器の使用ログ、日時データ、及び、サーバ装置（クラウドサーバ）から提供される天気情報などを組み合わせて、家族の安全及び健康を守る機能、家事を楽しく助けてくれるアドバイス、並びに、家族の好みに合わせたおすすめコンテンツなどを提供することもできる。図３９は、このようなその他の情報の表示画面の一例を示す図である。以下、表示装置２０が提示可能な情報の具体例について説明する。
【００３８】
表示装置２０は、例えば、サーバ装置から天気情報（言い換えれば、気象情報）の提供を受けることにより、荒天であること、及び、気象警報を表示することができる。図４０は、気象警報の表示画面の一例を示す図である。表示装置２０は、荒天であること、及び、気象警報を表示することにより、家族の安心をサポートすることができる。
【００３９】
また、表示装置２０は、電気錠の状態と時間帯などに基づいて、鍵のかけ忘れを防止するための通知画面を表示することができる。図４１は、鍵のかけ忘れを防止するための通知画面の一例を示す図である。表示装置２０は、鍵のかけ忘れを防止するための通知を行うことにより、家族の安心をサポートすることができる。
【００４０】
また、表示装置２０は、花粉情報と在宅状況とに応じて、花粉除去に最適な空気清浄機の制御をリコメンドすることができる。図４２は、花粉除去に最適な空気清浄機の制御をリコメンドする表示画面の一例を示す図である。表示装置２０は、花粉除去に最適な空気清浄機の制御をリコメンドすることにより、家族の健康をサポートすることができる。
【００４１】
また、表示装置２０は、照明機器及び電動シャッターの使用ログからユーザの睡眠コンディションを推定し、睡眠状態の改善に関する提案を行うことができる。図４３は、睡眠状態の改善を提案する表示画面の一例を示す図である。表示装置２０は、睡眠状態の改善に関する提案を行うことにより、家族の健康をサポートすることができる。
【００４２】
表示装置２０は、例えば、サーバ装置から天気情報（言い換えれば、天気ＡＰＩ（Ａｐｐｌｉｃａｔｉｏｎ  Ｐｒｏｇｒａｍｍｉｎｇ  Ｉｎｔｅｒｆａｃｅ）の情報）の提供を受けることにより、ベストな洗濯のタイミングを通知することができる。図４４は、洗濯のタイミングの通知画面の一例を示す図である。表示装置２０は、花粉が多い季節には、部屋干しをリコメンドすることもできる。表示装置２０は、洗濯のタイミングを通知することで、家事をサポートすることができる。
【００４３】
また、表示装置２０は、サーバ装置から提供される天気情報に含まれる週の平均気温と、当日の気温の差に基づいて、服装（厚着または薄着）に関する提案を行うことができる。図４５は、服装に関する提案を行う表示画面の一例を示す図である。表示装置２０は、雨の日には雨具の携帯を提案することもできる。
【００４４】
また、表示装置２０は、サーバ装置から提供される天気情報に含まれる紫外線指数に基づいて、日中（朝〜昼の時間帯）に紫外線に関する注意喚起を行うことができる。図４６は、紫外線に関する注意喚起を行う表示画面の一例を示す図である。表示装置２０は、紫外線に関する注意喚起を行うことにより、ユーザの美容をサポートすることができる。
【００４５】
また、表示装置２０は、テレビの視聴履歴、及び、動画コンテンツ記憶装置の録画ログからユーザの好みに合いそうな番組を録画し、提示することができる。図４７は、ユーザの好みに合いそうな番組を提示する表示画面の一例を示す図である。
【００４６】
また、表示装置２０は、記念日などに特別な機器制御を行うことができる。例えば、表示装置２０は、クリスマスに、機器を用いたクリスマス用の演出を行うための表示画面を表示する。図４８及び図４９は、クリスマス用の演出を行うための表示画面の一例を示す図である。このような表示画面を通じてユーザの承認が得られると、表示装置２０が設置された部屋において、スピーカ（音楽）及び照明機器（光）によるクリスマス用の演出が行われる。
【００４７】
［表示装置の表示画面の構成］
次に、表示装置２０のホーム（Ｈｏｍｅ）画面の構成について説明する。図５０は、表示装置２０のホーム画面の構成を示す図である。
【００４８】
図５０に示されるように、表示装置２０のホーム画面は、（ａ）「Ａｐｐｓ  Ｌａｙｅｒ（アプリレイヤ）」、（ｂ）「Ｐｕｓｈ  Ｌａｙｅｒ（プッシュレイヤ）」、及び、（ｃ）「Ｃｏｎｔｒｏｌ  Ｌａｙｅｒ（コントロールレイヤ）」の３階建ての構造（３層構造）を有している。プッシュレイヤが基点となり、プッシュレイヤの画面が表示されているときにタッチスクリーン２１に対して上から下へ向かう方向のスワイプ操作が行われると、アプリレイヤの画面に遷移する。また、プッシュレイヤの画面が表示されているときにタッチスクリーン２１に対して下から上へ向かう方向のスワイプ操作が行われると、コントロールレイヤの画面に遷移する。
【００４９】
［プッシュレイヤ］
まず、基点となるプッシュレイヤについて、図５０の（ｂ）を参照しながら説明する。プッシュレイヤは、リコメンド及び通知などの表示装置２０の基本となるプッシュ型インタラクションのレイヤである。プッシュレイヤの画面には、表示装置２０に通信接続される機器から、当該機器が起点として発信する、通知またはリコメンドなどの情報が表示される。
【００５０】
図５０の（ｂ）に示されるように、表示装置２０は、人感センサなどによって表示装置２０の周囲におけるユーザの有無を検知し、ユーザが表示装置２０の周囲（つまり、表示装置２０の近く）にいるときには通知またはリコメンドなどの情報を画面に表示する。一方、表示装置２０は、ユーザが表示装置２０の周囲（つまり、表示装置２０の近く）にいないときには、表示すべき通知またはリコメンドなどの情報があったとしても画面に表示しない。図５１は、ユーザが表示装置２０の近くにいないときのプッシュレイヤの画面の一例を示す図である。
【００５１】
また、表示すべき通知またはリコメンドなどの情報が複数ある場合、これらの情報を示すアイコンは、例えば、左右方向に並んで表示される。図５２は、複数のアイコンを含むプッシュレイヤの画面の一例を示す図である。複数のアイコンは、例えば、情報が生成された時刻が新しいものほど左側、というように、生成された時刻の順序で左右方向に一列に並んで配置される。アイコンの表示領域に対して左右方向のスワイプ操作（言い換えれば、スクロール操作）が行われると、アイコンがスクロールされる。このとき、時刻、日付、及び、天気の表示領域は維持（固定）されたまま、アイコンのみがスクロールされる。複数のアイコンのそれぞれがタップ操作されると、当該アイコンが示す情報に関連するアプリレイヤの画面、または、コントロールレイヤの画面に遷移する。
【００５２】
なお、プッシュレイヤの画面は、時間帯に応じて表示態様が変更されてもよい。例えば、プッシュレイヤの画面の背景色は、夜間の時間帯においてそれ以外の時間帯よりも暗い色に変更されてもよい。図５３は、このようなナイトモードにおけるプッシュレイヤの画面の一例を示す図である。
【００５３】
［コントロールレイヤ］
次に、コントロールレイヤについて、図５０の（ａ）を参照しながら説明する。コントロールレイヤは、キッチンの照明機器を消灯したり、全館空調を設定したりするなど、機器カテゴリ、場所（部屋）ごとにグルーピングされた機器を個別に制御するためのレイヤである。ユーザは、コントロールレイヤの画面に含まれる機器のアイコンをタップ操作することで、機器のオン及びオフを画面遷移なしで行うことができる。つまり、ユーザは、シンプルに機器を制御することができる。また、ユーザは、機器のアイコンをロングタップ操作することで、機器の詳細な制御を行うことができる。
【００５４】
複数の機器のアイコンのそれぞれは、当該機器のオン及びオフの状態が一目でわかるように、オン及びオフの状態に応じて異なる態様（例えば、色が異なる態様）で表示される。例えば、機器がオン状態である場合、当該機器のアイコンはカラーで表示され、機器がオフ状態である場合、当該機器のアイコンは、モノクロ（グレースケール、ウォッシュアウト）で表示される。図５４は、機器がオフ状態である場合のコントロールレイヤの画面の一例を示す図である。また、機器のアイコンには、機器の動作状態を示す文字が含まれてもよい。
【００５５】
コントロールレイヤの画面において、機器のアイコンは、左右方向に一列に並んで配置され、アイコンの表示領域に対して左右方向のスワイプ操作（言い換えれば、スクロール操作）が行われると、アイコンがスクロールされる。複数の機器のアイコンがスクロールすることがユーザに伝わるように、デフォルト状態においてタッチスクリーン２１の最も右側に位置するアイコンは、一部が途切れるように表示される。
【００５６】
複数の機器のアイコンは、当該機器が設置されている場所（部屋）に応じた順序で配置される。図５０の（ａ）の例では、建物全体に関連するアイコン（例えば、シーン制御のアイコン）が一番左側に配置され、その右側に、表示装置２０が設置されている部屋（例えば、リビング）に設置されている機器のアイコンが配置される。この右側には、例えば、リビングに最も近い部屋に設置されている機器のアイコンが配置される。このように、コントロールレイヤの画面においては、表示装置２０が設置されている部屋に近い部屋に設置されている機器のアイコンほど左側（言い換えれば、デフォルト状態（初期状態）でアクセスしやすい位置）に配置される。つまり、複数の機器のアイコンは、機器の設置位置に基づく順序（言い換えれば、設置位置に関連する順序）で配置される。
【００５７】
複数の機器のアイコンが一画面に収まらない場合、複数の機器のアイコンのうち比較的左側に配置されているアイコンは、デフォルト状態で画面内に位置するが、比較的右側に配置されているアイコンは、デフォルト状態では画面内に位置せず、スクロールして初めて画面内に現れる。
【００５８】
表示装置２０を通じて制御可能な複数の機器の数が多い場合、複数の機器のアイコンの数は非常に多くなる。そこで、コントロールレイヤの画面の左下には、ジャンプショートカット（「全室」、「リビング」、「キッチン」などの建物の中の場所（空間）を示す文字）が設けられている。ユーザは、ジャンプショートカットをタップ操作することで、タップ操作された文字が示す場所に設置された機器のアイコンを画面内に位置させる（複数のアイコンが自動的にスクロールする）ことができる。
【００５９】
なお、機器のアイコンの配置は、ユーザの好みに応じて変更することもできる。図５５は、機器のアイコンの移動及び削除画面の一例を示す図である。ユーザは、機器のアイコンの移動及び削除画面において、機器のアイコンに対してドラッグアンドドロップ操作を行うことで、機器のアイコンの配置（左右の位置関係）を変更することができる。
【００６０】
［アプリレイヤ］
次に、アプリレイヤについて、図５０の（ｃ）を参照しながら説明する。アプリレイヤは、建物における消費電力をチェックしたり、動画を視聴したりするために使用される。アプリレイヤでは、複数のアイコンが、ユーザのやりたい行動、体験アクションごとにカテゴライズされる。また、デベロッパから提供される新たなアプリケーション、及び、将来的に提供される新たなサービスは、アプリレイヤに追加される。アプリレイヤの画面からは、図１６〜図３５で説明したアプリケーションプログラムを実行することができる。
【００６１】
なお、アプリレイヤから実行できることと、コントロールレイヤから実行できることとは、例えば、以下のように分類される。アプリレイヤから実行できることは、いわゆる家電（建物の壁などに固定されていない機器）など、追加及び変更が容易な機器、及び、設備機器（建物の壁などに固定されている照明機器、空調機器などの機器）であるが情報を参照して動作する機器の制御などである。
【００６２】
一方、コントロールレイヤから実行できることは、設備機器の制御などである。なお、アプリレイヤ及びコントロールレイヤの両方から同じ制御が実行できる場合もある。
【００６３】
［距離別状態表示］
プッシュレイヤの画面は、表示装置２０と表示装置２０の前に立つ人との距離に応じて表示態様が変更されてもよい。つまり、表示装置２０は、ユーザとの距離に応じて表示を自動で切り替えてもよい。図５６は、プッシュレイヤの画面の表示態様の変更を説明するための図である。
【００６４】
図５６に示されるように、プッシュレイヤの画面は、ユーザが表示装置２０から１ｍの範囲に位置している場合（例えば、ユーザが表示装置２０を操作中、または、表示装置２０の目の前に立っている状態）には通常状態で表示される。プッシュレイヤの画面は、ユーザが表示装置２０から１ｍ以上３ｍ未満の範囲に位置している場合（ユーザが表示装置２０が設置された部屋にいる場合）には、アンビエント状態で表示される。また、プッシュレイヤの画面は、ユーザが表示装置２０から３ｍ以上離れて位置している場合（例えば、ユーザが表示装置２０が設置された部屋に不在の場合）には、スリープ状態（例えば、黒画）で表示される。
【００６５】
アンビエント状態は、通知が主張しすぎないよう配慮しつつ、離れた位置からでも通知の有無を確認できるような状態を意味する。アンビエント状態のプッシュレイヤの画面は、例えば、白色の背景に時刻と通知アイコンとを表示することによって実現される。
【００６６】
なお、プッシュレイヤの画面においては、画面の左側に、現在の日時、及び、天気などが常に表示される。このように、ユーザが常に表示させておきたい情報は、ユーザ設定によって変更されてもよい。ユーザが常に表示させておきたい情報には、具体的には、時刻、天気、室外の温度及び湿度、室内の温度及び湿度、空気質（言い換えれば、空気の汚れ具合。におい、及び、ＰＭ２．５濃度など）、電力使用量、太陽光発電システムなどの発電量、家族のスケジュール、今日は何の日か、などが含まれる。ユーザが常に表示させておきたい情報は、文字または表示を大きめにするなど、多少離れた位置からでもユーザが視認できることが考慮されるとよい。
【００６７】
［プッシュレイヤ以外の表示レイヤにおける通知］
表示装置２０において、コントロールレイヤの画面、または、アプリレイヤの画面が表示されているときにユーザに対して通知すべき情報が発生した場合の通知方法について説明する。コントロールレイヤの画面、または、アプリレイヤの画面が表示されているときに行われる通知には、通常プッシュ通知と、強制優先プッシュ通知とがある。図５７は、アプリレイヤの画面が表示されているときに行われる通知を説明するための図である。なお、図示されないが、コントロールレイヤの画面が表示されているときに行われる通知も同様である。
【００６８】
図５７の（ａ）及び（ｂ）に示されるように、通常プッシュ通知では、アプリレイヤの画面の上部に、通知内容が重畳表示される。アプリケーションの実行中には、アプリケーションの実行画面（図１７〜図３５のような画面）では通知は行われず、実行画面からアプリレイヤの画面に戻ったときに、画面の上部に通知内容が重畳される。通知内容が重畳された領域がタップ操作されると、例えば、通知が終了されて図５７の（ａ）の状態に戻る。通知が機器の制御に関するものである場合、通知内容が重畳された領域がタップ操作されると、機器を制御するための画面（コントロールレイヤの画面、後述の制御画面など）に遷移する。
【００６９】
通常プッシュ通知として行われる通知は、例えば、表示装置２０の設置記念日の通知、ユーザまたは家族の誕生日の通知、重要メッセージの通知、温度及び湿度が異常であることの通知、電動シャッターが開くときの通知、電気錠が開くときの通知、宅配ボックスに関する通知などである。
【００７０】
一方、強制優先プッシュ通知は、着信のようにユーザによる即時の対応が必要な通知であり、言い換えれば、どんな操作が行われていてもすぐに知らせたい（通常プッシュ通知よりも重要度が高い）通知である。図５７の（ａ）及び図５７の（ｃ）に示されるように、強制優先プッシュ通知をする必要が生じた場合には、操作中であっても全画面が通知画面に切り替えられる。
【００７１】
強制優先プッシュ通知として行われる通知は、例えば、停電（連携／非連携）の通知、電力の使用過多の通知（ピークアラーム）、インターホン装置による訪問者を示す通知（図５７の（ｃ））、他の部屋（つまり、他の表示装置２０）からのコールなどが含まれる。
【００７２】
［チュートリアルの表示］
表示装置２０は、アプリケーションなどの初回起動時に、チュートリアル（具体的には、そのアプリケーションでできることの概要、及び、代表的な操作など）を表示する。図５８は、最初にコントロールレイヤの画面が表示されたときに（図５８の（ａ）、（ｂ））、コントロールレイヤのチュートリアルが表示される（図５８の（ｃ））例を説明するための図である。
【００７３】
チュートリアルの表示には、アニメーション（言い換えれば、動画）が用いられる。個別に説明が必要な場合には、画面上に吹き出しまたは文字が表示されたり、画面上に操作を予期させるアニメーションが表示されたりする。これにより、表示装置２０は、操作方法をわかりやすくユーザに提示することができる。
【００７４】
チュートリアルでは、情報量（文言及び内容など）をそぎ落とすことで、ユーザがストレスを感じることが抑制される。また、チュートリアルは、ユーザが必要な箇所に素早くアクセスできるように、スワイプ操作などのユーザ操作で次の項目に進める構成となっており、これによりユーザがわずらわしさを感じることが抑制される。詳細な機能及び操作説明はオンラインマニュアルに記載され、表示装置２０は、オンラインマニュアルの記載場所へユーザがスムーズにたどり着くことができるように案内表示を行う。
【００７５】
［全館空調の制御画面］
次に、ユーザがコントロールレイヤから機器を制御するときの詳細画面（以下、制御画面とも記載される）について説明する。まず、建物の中の全館空調を行うための制御画面について、図示により説明する。図５９は、コントロールレイヤの画面に表示される全館空調を行うためのアイコン（以下、単に、全館空調のアイコンとも記載される）の一例（具体的には、全館空調の状態に応じたアイコンの変化の一例）を示す図である。図６０は、全館空調のアイコンが操作されたときの画面遷移を示す図である。なお、全館空調のアイコンは、例えば、コントロールレイヤの画面の「全室」タブにはグルーピング（言い換えれば、関連付け）されない。また、全館空調は、常時オンが基本であり、シングルタップ操作に適していないため、全館空調のアイコンに対してシングルタップ操作及びロングタップ操作のいずれの操作が行われた場合も図６０のモーダルウィンドウが表示される。全館空調は、表示装置２０からはオフにできない仕様であってもよい。
【００７６】
なお、図６１は、自動セーブ運転時の全館空調の制御画面の一例を示す図であり、図６２は、お出かけモード（お出かけ中）における全館空調の制御画面の一例を示す図である。これらの制御画面は、全館空調システムのオリジナルリモートコントローラから操作が行われたときのみ表示される。
【００７７】
［空調機器の制御画面］
次に、空調機器の制御画面について、図示により説明する。図６３は、コントロールレイヤの画面に表示される空調機器を制御するためのアイコン（以下、単に、空調機器のアイコンとも記載される）の一例（具体的には、空調機器の状態に応じたアイコンの変化の一例）を示す図である。図６４は、空調機器のアイコンがロングタップ操作されたときの画面遷移を示す図である。
【００７８】
［ヒートポンプ式給湯器の制御画面］
次に、ヒートポンプ式給湯器の制御画面について、図示により説明する。図６５は、コントロールレイヤの画面に表示されるヒートポンプ式給湯器を制御するためのアイコン（以下、単に、ヒートポンプ式給湯器のアイコンとも記載される）の一例（具体的には、ヒートポンプ式給湯器の状態に応じたアイコンの変化の一例）を示す図である。図６６は、ヒートポンプ式給湯器のアイコンがロングタップ操作されたときの画面遷移を示す第一の図である。図６７は、ヒートポンプ式給湯器のアイコンがロングタップ操作されたときの画面遷移を示す第二の図である。なお、ガス給湯器についても同様のアイコンが使用され、同様の画面遷移が行われる。
【００７９】
［燃料電池システムが備える給湯器の制御画面］
次に、燃料電池システムが備える給湯器の制御画面について、図示により説明する。図６８は、コントロールレイヤの画面に表示される、燃料電池システムが備える給湯器を制御するためのアイコン（以下、単に、燃料電池システムのアイコンとも記載される）の一例（具体的には、燃料電池システムが備える給湯器の状態に応じたアイコンの変化の一例）を示す図である。図６９は、燃料電池システムのアイコンがロングタップ操作されたときの画面遷移を示す図である。
【００８０】
［電動シャッターの制御画面］
次に、電動シャッターの制御画面について、図示により説明する。図７０は、コントロールレイヤの画面に表示される、電動シャッターを制御するためのアイコン（以下、単に、電動シャッターのアイコンとも記載される）の一例（具体的には、電動シャッターの状態に応じたアイコンの変化の一例）を示す図である。図７０に示されるように、電動シャッターの動作中は、アイコンがアニメーションされることでユーザに電動シャッターの状態をわかりやすく提示することができる。なお、電動ブラインドについても同様のアイコン（アイコンのタイトルは「シャッター」から「ブラインド」に変更される）が使用される。
【００８１】
図７１は、電動シャッター（または電動ブラインド）のアイコンがロングタップ操作されたときの画面遷移を示す図である。コントロールレイヤの画面の「全室」タブにグルーピング（言い換えれば、関連付け）された電動シャッターのアイコンがロングタップ操作された場合には、建物の中の複数の電動シャッターが一括制御される。コントロールレイヤの画面の各部屋タブにグルーピングされた電動シャッターのアイコンがロングタップ操作された場合には、当該部屋に設置された電動シャッターが制御される。
【００８２】
［電気錠の制御画面］
次に、電気錠の制御画面について、図示により説明する。図７２は、コントロールレイヤの画面に表示される、電気錠を制御するためのアイコン（以下、単に、電気錠のアイコンとも記載される）の一例（具体的には、電動錠の状態に応じたアイコンの変化の一例）を示す図である。図７３は、電気錠のアイコンがロングタップ操作されたときの画面遷移を示す図である。コントロールレイヤの画面の「全室」タブにグルーピングされた電気錠のアイコンがロングタップ操作された場合には、建物の中の複数の電気錠が一括制御される。コントロールレイヤの画面の各部屋タブにグルーピングされた電気錠のアイコンがロングタップ操作された場合には、当該部屋に設置された電気錠が制御される。
【００８３】
［空気清浄機の制御画面］
次に、空気清浄機（例えば、天井埋め込み型の空気清浄機）の制御画面について、図示により説明する。図７４は、コントロールレイヤの画面に表示される、空気清浄機を制御するためのアイコン（以下、単に、空気清浄機のアイコンとも記載される）の一例（具体的には、空気清浄機の状態に応じたアイコンの変化の一例）を示す図である。図７５は、空気清浄機のアイコンがロングタップ操作されたときの画面遷移を示す図である。
【００８４】
［機器がイレギュラーな状態であることを示す画面］
コントロールレイヤの画面において、システム異常時、オフライン時、不定時など、機器がイレギュラーな状態に陥った場合には、機器のアイコンが異常を示す態様に変化する。異常を示しているアイコンが操作されると、イレギュラーな状態であることを示す画面が表示される。図７６は、機器がイレギュラーな状態に陥った場合の画面遷移を示す図である。図７６の（ａ）は、システム異常時の画面の一例を示す図であり、図７６の（ｂ）は、オフライン時の画面の一例を示す図である。
【００８５】
なお、イレギュラーな状態は、例えば、離脱状態、不定状態、及び、故障状態に区別される。離脱状態は、表示装置２０と機器との通信接続が途絶えた状態を意味し、不定状態は、表示装置２０と機器とは通信接続されているが数値検出まで時間がかかる状態（例えば、起動中の状態）を意味する。故障状態は、機器そのものが故障していることを意味する。
【００８６】
［初期設定画面］
表示装置２０は、設置時に当該表示装置２０の設置場所が設定される。図７７は、このような初期設定画面、及び、初期設定画面からの画面遷移を示す図である。図７７に示されるように、初期設定画面（図７７の（ａ））に設置場所の名称を入力するときには、入力画面（図７７の（ｂ））に遷移する。
【００８７】
初期設定が完了すると、初期設定が完了したことを通知する画面（図７７の（ｃ））が表示される。その後、所定の操作（図７７の例では、上方向へのスワイプ操作）が行われると、プッシュレイヤの画面（図７７の（ｄ））に遷移する。このとき、上述のようにチュートリアルの画面がモーダルウィンドウとして自動的に表示される（図７７の（ｅ））。
【００８８】
［表示制御システムの構成］
次に、表示装置２０を含む表示制御システムであって、実施の形態に係る表示制御システムの構成について説明する。図７８は、実施の形態に係る表示制御システムの機能構成を示すブロック図である。
【００８９】
実施の形態に係る表示制御システム１０は、制御対象機器（第一制御対象機器４１及び第二制御対象機器４２）を制御するための画像の表示を行うシステムである。表示制御システム１０は、表示装置２０と、制御装置３０と、第一制御対象機器４１と、第二制御対象機器４２と、センサ４３と、サーバ装置５０とを備える。表示装置２０、制御装置３０、第一制御対象機器４１、第二制御対象機器４２、及び、センサ４３は、例えば、住宅などの建物、または、当該建物の敷地内に設置される。
【００９０】
表示装置２０は、機器の制御に関するユーザーインターフェース装置として機能する装置である。表示装置２０は、建物に設置された複数の機器に直接的または間接的に通信可能に接続される。言い換えれば、表示装置２０は、住設機器または家電機器などを含む制御対象機器と直接または制御装置を介して間接に接続される。表示装置２０は、例えば、建物内部の壁に設置される。表示装置２０は、タッチスクリーン２１と、制御部２２と、記憶部２３と、通信部２４とを備える。
【００９１】
タッチスクリーン２１は、具体的には、ユーザの操作を受け付けるタッチパネル２１ａと、画像（動画像または静止画像）を表示する表示部２１ｂとを含む。タッチパネル２１ａは、取得部の一例である。タッチパネル２１ａは、例えば、静電容量方式のタッチパネルであるが、抵抗膜方式のタッチパネルであってもよい。表示部２１ｂは、例えば、液晶パネルまたは有機ＥＬ（Ｅｌｅｃｔｒｏ  Ｌｕｍｉｎｅｓｃｅｎｃｅ）パネルなどの表示パネルである。
【００９２】
制御部２２は、タッチパネル２１ａによって受け付けられた操作に応じて制御対象機器を動作させるための制御、及び、表示部２１ｂへの画像の表示に関する制御を行う。制御部２２は、例えば、マイクロコンピュータによって実現されるが、プロセッサによって実現されてもよい。
【００９３】
記憶部２３は、制御部２２が実行する制御プログラムなどが記憶される記憶装置である。記憶部２３は、例えば、半導体メモリなどによって実現される。
【００９４】
通信部２４は、表示装置２０が、制御装置３０、第二制御対象機器４２、及び、サーバ装置５０と通信するための通信回路（言い換えれば、通信モジュール）である。通信部２４は、例えば、制御部２２の制御に基づいて制御対象機器の制御要求を制御装置３０に送信する。また、通信部２４は、制御部２２の制御に基づいて、第二制御対象機器４２を制御するための制御信号を第二制御対象機器４２に送信する。通信部２４は、例えば、センサからセンシング結果を示す信号を受信する。通信部２４は、例えば、無線通信を行うが、有線通信を行ってもよい。通信部２４によって行われる通信の通信規格は特に限定されない。
【００９５】
制御装置３０は、例えば、ＨＥＭＳ（Ｈｏｍｅ  Ｅｎｅｒｇｙ  Ｍａｎａｇｅｍｅｎｔ  Ｓｙｓｔｅｍ）コントローラであり、通信部２４によって送信される制御要求に基づいて、第一制御対象機器４１の制御を行う。制御装置３０は、エネルギーマネジメント機能を有するＨＥＭＳコントローラに限定されず、エネルギーマネジメント機能を有しない他のホームコントローラ、または、ゲートウェイ装置であってもよい。
【００９６】
第一制御対象機器４１は、制御装置３０によって制御される機器であり、表示装置２０に間接的に通信可能に接続される。第一制御対象機器４１は、具体的には、制御装置３０から送信される制御信号に基づいて動作する。第一制御対象機器４１には、例えば、蓄電池システム、燃料電池システム、太陽光発電システム、照明機器、ヒートポンプ式給湯器、電動シャッター、または、電気錠などの機器が含まれる。なお、制御装置３０及び第一制御対象機器４１の間では、例えば、Ｅｃｈｏｎｅｔ  Ｌｉｔｅ（登録商標）などの通信規格に準拠した無線通信が行われる。
【００９７】
第二制御対象機器４２は、表示装置２０によって制御される機器であり、表示装置２０に直接的に通信可能に接続される。第二制御対象機器４２は、具体的には、表示装置２０から送信される制御信号に基づいて動作する。第二制御対象機器４２には、例えば、インターホン装置、または、空調機器などの機器が含まれる。
【００９８】
なお、第一制御対象機器４１として説明された機器が第二制御対象機器４２に含まれてもよいし、第二制御対象機器４２として説明された機器が第一制御対象機器４１に含まれてもよい。制御対象の機器には、住設機器または家電機器が含まれればよい。
【００９９】
センサ４３は、建物内の環境などをセンシングし、センシング結果を示す信号を表示装置２０に送信する。これにより、表示装置２０は、建物内の環境を表示することができる。また、表示装置２０は、建物内の環境に基づいて制御対象機器を制御することもできる。センサ４３には、圧力センサ、温度センサ、湿度センサ、または、照度センサなどが含まれる。
【０１００】
サーバ装置５０は、クラウドサーバである。サーバ装置５０及び表示装置２０が連携することにより様々なサービスが実現される。
【０１０１】
［動作］
次に、表示制御システム１０の動作（言い換えれば、表示装置２０などのコンピュータによって実行される表示制御方法）について説明する。図７９は、表示制御システム１０の動作のフローチャートである。なお、図７９の動作は、図５０に対応する動作であり、以下では図５０及び図７９を用いて説明が行われる。
【０１０２】
まず、表示装置２０の制御部２２は、タッチスクリーン２１（より具体的には、表示部２１ｂ）に、第１の表示レイヤを表示する（Ｓ１１）。第１の表示レイヤは、例えば、図５０の（ｂ）のプッシュレイヤに相当する。第１の表示レイヤは、第１のカテゴリに属する表示オブジェクトを有する。第１のカテゴリに属する表示オブジェクトは、具体的には、図５０の（ｂ）において、プッシュレイヤの画面に表示されている矩形のアイコンである。第１のカテゴリは、例えば、制御対象機器（言い換えれば、複数の機器）の各々の状態を通知するためのユーザーインターフェースである。
【０１０３】
次に、タッチパネル２１ａは、第１の表示レイヤがタッチスクリーン２１に表示されている間に行われた当該タッチスクリーン２１に対する第１の接触に関する情報を取得する（Ｓ１２）。
【０１０４】
次に、制御部２２は、第１の接触に関する情報が、第１の方向への接触位置の移動を含むか否かを判定する（Ｓ１３）。第１の方向の方向への接触位置の移動は、例えば、上方向へのスワイプ操作に基づく接触位置の移動である。
【０１０５】
なお、ここでの「第１の方向」とは、ベクトルの要素としての方向を意味し、上から下に向かう方向と、下から上に向かう方向とは区別される。また、ユーザが斜めにスワイプ操作を行った場合には、スワイプ操作の斜め方向の成分が上下方向の成分と左右方向の成分とに分解され、上方向（上下方向）の成分の大きさが左右方向の成分の大きさよりも大きいときに、このような斜めのスワイプ操作が第１の方向への接触位置の移動であると判定される。後述の第２の方向、及び、第３の方向についても同様である。
【０１０６】
制御部２２は、第１の接触に関する情報が、第１の方向への接触位置の移動を含むと判定した場合に（Ｓ１３でＹｅｓ）、表示部２１ｂに表示される画像を第１の表示レイヤから第２の表示レイヤに移行させる（Ｓ１４）。第２の表示レイヤは、例えば、図５０の（ｃ）のコントロールレイヤに相当する。第２の表示レイヤは、第１のカテゴリと異なる第２のカテゴリに属する表示オブジェクトを有する。第２のカテゴリに属する表示オブジェクトは、具体的には、図５０の（ｃ）において、コントロールレイヤの画面に表示されている矩形のアイコンである。第２のカテゴリは、制御対象機器（複数の機器）の各々の状態を制御するためのユーザーインターフェースである。
【０１０７】
制御部２２は、第１の接触に関する情報が、第１の方向への接触位置の移動を含まないと判定した場合に（Ｓ１３でＮｏ）、第１の接触に関する情報が、第１の方向と垂直な第２の方向への接触位置の移動を含むか否かを判定する（Ｓ１５）。第２の方向への接触位置の移動は、例えば、横方向（右方向または左方向）へのスワイプ操作に基づく接触位置の移動である。制御部２２は、第１の接触に関する情報が、第１の方向と垂直な第２の方向への接触位置の移動を含むと判定した場合に（Ｓ１５でＹｅｓ）、第１の表示レイヤが有する表示オブジェクトの表示位置を第２の方向へ移動させる（Ｓ１６）。
【０１０８】
制御部２２は、第１の接触に関する情報が、第１の方向と垂直な第２の方向への接触位置の移動を含まないと判定した場合に（Ｓ１５でＮｏ）、第１の接触に関する情報が、第１の方向と１８０度異なる第３の方向への接触位置の移動を含むか否かを判定する（Ｓ１７）。第３の方向への接触位置の移動は、例えば、下方向へのスワイプ操作に基づく接触位置の移動である。制御部２２は、第１の接触に関する情報が、第３の方向への接触位置の移動を含むと判定した場合に（Ｓ１７でＹｅｓ）、表示部２１ｂに表示される画像を第１の表示レイヤから第３の表示レイヤに移行する（Ｓ１８）。第３の表示レイヤは、例えば、図５０の（ａ）のアプリレイヤに相当する。第３の表示レイヤは、第１のカテゴリ、及び、第２のカテゴリと異なる第３のカテゴリに属する表示オブジェクトを有する。第３のカテゴリに属する表示オブジェクトは、具体的には、図５０の（ａ）において、アプリレイヤの画面に表示されている矩形のアイコンである。第３のカテゴリは、制御対象機器（複数の機器）の各々各々に関連するコンテンツを提供するためのユーザーインターフェースである。
【０１０９】
制御部２２は、第１の接触に関する情報が、第３の方向への接触位置の移動を含まないと判定した場合には（Ｓ１７でＮｏ）、動作は終了となる。つまり、第１の表示レイヤがタッチスクリーン２１に表示されたままとなる。
【０１１０】
なお、上記の動作において、第１の表示レイヤ、第２の表示レイヤ、及び、第３の表示レイヤは、相互に入れ替えられてよい。つまり、第１のカテゴリ、第２のカテゴリ、及び、第３のカテゴリは、それぞれが、（ｉ）複数の機器の各々の状態を通知するためのユーザーインターフェース、（ｉｉ）複数の機器の各々の状態を制御するためのユーザーインターフェース、（ｉｉｉ）複数の機器の各々に関連するコンテンツを提供するためのユーザーインターフェース、のいずれかであればよい。
【０１１１】
以上のような動作（表示制御方法）によれば、ユーザは、表示レイヤを簡単な操作できりかえることができる。
【０１１２】
（その他の実施の形態）
以上、実施の形態について説明したが、本発明は、上記実施の形態に限定されるものではない。
【０１１３】
例えば、上記実施の形態において、特定の処理部が実行する処理を別の処理部が実行してもよい。例えば、表示装置によって行われる処理の一部または全部は、制御装置またはサーバ装置によって行われてもよい。
【０１１４】
また、上記実施の形態における装置間の通信方法については特に限定されるものではない。装置間では、無線通信が行われてもよいし、有線通信が行われてもよい。また、装置間では、無線通信及び有線通信が組み合わされてもよい。また、上記実施の形態において２つの装置が通信を行う場合、２つの装置間には図示されない中継装置が介在してもよい。
【０１１５】
また、上記実施の形態のフローチャートで説明された処理の順序は、一例である。複数の処理の順序は変更されてもよいし、複数の処理は並行して実行されてもよい。
【０１１６】
また、上記実施の形態において、各構成要素は、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１１７】
また、各構成要素は、ハードウェアによって実現されてもよい。例えば、各構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１１８】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。
【０１１９】
例えば、本発明は、表示制御システムなどのコンピュータによって実行される表示制御方法として実現されてもよいし、このような表示制御方法をコンピュータに実行させるためのプログラムとして実現されてもよい。また、本発明は、このようなプログラムが記録されたコンピュータ読み取り可能な非一時的な記録媒体として実現されてもよい。
【０１２０】
また、上記実施の形態では、表示制御システムは、複数の装置によって実現されたが、単一の装置として実現されてもよい。表示制御システムは、例えば、表示装置に相当する単一の装置として実現されてもよいし、制御装置に相当する単一の装置として実現されてもよいし、サーバ装置に相当する単一の装置として実現されてもよい。表示制御システムが複数の装置によって実現される場合、表示制御システムが備える構成要素は、複数の装置にどのように振り分けられてもよい。
【０１２１】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１２２】
１０  表示制御システム
２０  表示装置
２１  タッチスクリーン
２１ａ  タッチパネル
２１ｂ  表示部
２２  制御部
２３  記憶部
２４  通信部
３０  制御装置
４１  第一制御対象機器
４２  第二制御対象機器
４３  センサ
５０  サーバ装置
【図１】
2020084834.tif 000003
【図２】
2020084834.tif 000004
【図３】
2020084834.tif 000005
【図４】
2020084834.tif 000006
【図５】
2020084834.tif 000007
【図６】
2020084834.tif 000008
【図７】
2020084834.tif 000009
【図８】
2020084834.tif 000010
【図９】
2020084834.tif 000011
【図１０】
2020084834.tif 000012
【図１１】
2020084834.tif 000013
【図１２】
2020084834.tif 000014
【図１３】
2020084834.tif 000015
【図１４】
2020084834.tif 000016
【図１５】
2020084834.tif 000017
【図１６】
2020084834.tif 000018
【図１７】
2020084834.tif 000019
【図１８】
2020084834.tif 000020
【図１９】
2020084834.tif 000021
【図２０】
2020084834.tif 000022
【図２１】
2020084834.tif 000023
【図２２】
2020084834.tif 000024
【図２３】
2020084834.tif 000025
【図２４】
2020084834.tif 000026
【図２５】
2020084834.tif 000027
【図２６】
2020084834.tif 000028
【図２７】
2020084834.tif 000029
【図２８】
2020084834.tif 000030
【図２９】
2020084834.tif 000031
【図３０】
2020084834.tif 000032
【図３１】
2020084834.tif 000033
【図３２】
2020084834.tif 000034
【図３３】
2020084834.tif 000035
【図３４】
2020084834.tif 000036
【図３５】
2020084834.tif 000037
【図３６】
2020084834.tif 000038
【図３７】
2020084834.tif 000039
【図３８】
2020084834.tif 000040
【図３９】
2020084834.tif 000041
【図４０】
2020084834.tif 000042
【図４１】
2020084834.tif 000043
【図４２】
2020084834.tif 000044
【図４３】
2020084834.tif 000045
【図４４】
2020084834.tif 000046
【図４５】
2020084834.tif 000047
【図４６】
2020084834.tif 000048
【図４７】
2020084834.tif 000049
【図４８】
2020084834.tif 000050
【図４９】
2020084834.tif 000051
【図５０】
2020084834.tif 000052
【図５１】
2020084834.tif 000053
【図５２】
2020084834.tif 000054
【図５３】
2020084834.tif 000055
【図５４】
2020084834.tif 000056
【図５５】
2020084834.tif 000057
【図５６】
2020084834.tif 000058
【図５７】
2020084834.tif 000059
【図５８】
2020084834.tif 000060
【図５９】
2020084834.tif 000061
【図６０】
2020084834.tif 000062
【図６１】
2020084834.tif 000063
【図６２】
2020084834.tif 000064
【図６３】
2020084834.tif 000065
【図６４】
2020084834.tif 000066
【図６５】
2020084834.tif 000067
【図６６】
2020084834.tif 000068
【図６７】
2020084834.tif 000069
【図６８】
2020084834.tif 000070
【図６９】
2020084834.tif 000071
【図７０】
2020084834.tif 000072
【図７１】
2020084834.tif 000073
【図７２】
2020084834.tif 000074
【図７３】
2020084834.tif 000075
【図７４】
2020084834.tif 000076
【図７５】
2020084834.tif 000077
【図７６】
2020084834.tif 000078
【図７７】
2020084834.tif 000079
【図７８】
2020084834.tif 000080
【図７９】
2020084834.tif 000081
【国際調査報告】
2020084834.tif 000082
2020084834.tif 000083
2020084834.tif 000084
2020084834.tif 000085